(57)【要約】【課題】  アンダースキャン表示を行う表示デバイスに有効範囲の外部を表示させることができる画像処理装置を提供すること。【解決手段】  画像データを提供する際に有効となる有効範囲を有する画像を処理するＰＤＰ１００において、画像データを取得するＡ／Ｄコンバータ１２１および差動／パラレル変換部１２６と、有効範囲１３６を表示する第１の態様と有効範囲１３６および有効範囲１３６の外部を表示する第２の態様との何れか一方に表示態様を設定する設定部１３２と、取得された画像データから設定された表示態様を示す表示データを生成する生成部１３３と、生成された表示データを出力するフレームメモリ１２４と、を備えるようにＰＤＰ１００を構成する。【選択図】  図１
2005189709.tif 000002
【特許請求の範囲】
【請求項１】
画像データを提供する際に有効となる有効範囲を有する画像を処理する画像処理装置において、
前記画像データを取得する取得手段と、
前記有効範囲を表示する第１の態様と前記有効範囲および前記有効範囲の外部を表示する第２の態様との何れか一方に表示態様を設定する設定手段と、
前記取得された画像データから前記設定された表示態様を示す表示データを生成する生成手段と、
前記生成された表示データを出力する出力手段と、
を備えることを特徴とする画像処理装置。
【請求項２】
請求項１に記載の画像処理装置において、
前記出力された表示データに基づいて画像を表示する表示手段を備えることを特徴とする画像処理装置。
【請求項３】
請求項１または請求項２に記載の画像処理装置において、
前記設定手段は、所定の条件を具備した場合に前記表示態様を前記第２の態様に設定することを特徴とする画像処理装置。
【請求項４】
請求項１から請求項３の何れか一項に記載の画像処理装置において、
前記生成手段は、所定の条件を具備した場合に前記第２の態様を示す前記表示データを生成することを特徴とする画像処理装置。
【請求項５】
請求項１から請求項４の何れか一項に記載の画像処理装置において、
前記出力手段は、所定の条件を具備した場合に前記第２の態様を示す前記表示データを出力することを特徴とする画像処理装置。
【請求項６】
請求項１から請求項５の何れか一項に記載の画像処理装置において、
前記生成された表示データに前記有効範囲を示す補助データを付加する付加手段を備えることを特徴とする画像処理装置。
【請求項７】
請求項１から請求項６の何れか一項に記載の画像処理装置において、
前記取得された画像データのアスペクト比を判別する判別手段を備え、
前記生成手段は、前記判別されたアスペクト比に応じて前記表示データを生成することを特徴とする画像処理装置。
【発明の詳細な説明】
【技術分野】
【０００１】
本願は、アンダースキャン表示を行う表示デバイスに画像を表示させる画像処理装置の技術分野に属する。
【背景技術】
【０００２】
従来、この種の表示デバイスの一例として、外部から入力された画像データに基づいて複数のセルを発光させることにより所定の画像を表示するプラズマディスプレイパネルが知られている（例えば、特許文献１参照）。
【特許文献１】特開２００３−２９６９８号公報（第３頁、第１図）
【発明の開示】
【発明が解決しようとする課題】
【０００３】
しかしながら、上述した従来の表示デバイスでは、画像データを提供する際に有効となる有効範囲を有する画像において、当該有効範囲を表示する、所謂、「アンダースキャン表示」を行うようになっているので、放送局、制作会社などの提供者が有効範囲の外部を視認する必要がある場合に、有効範囲の外部を表示させることができないという事情があった。
【０００４】
そこで、本願は、上述した事情を鑑みてなされたものであり、その課題の一例として、アンダースキャン表示を行う表示デバイスに有効範囲の外部を表示させることができる画像処理装置を提供することを目的とする。
【課題を解決するための手段】
【０００５】
上述した課題を解決するために、請求項１に記載の画像処理装置は、画面に対して予め設定された有効範囲を有する画像を示す画像データを取得する取得手段と、前記有効範囲の内部を表示する第１の態様と前記有効範囲の外部を表示する第２の態様との何れか一方に表示態様を設定する設定手段と、前記取得された画像データから前記設定された表示態様を示す表示データを生成する生成手段と、を備えることを特徴とする構成を有している。
【発明を実施するための最良の形態】
【０００６】
以下、本願を実施するための最良の形態について図面を用いて説明する。なお、以下に説明する実施形態は、本願に係る画像処理装置を、例えば、プラズマディスプレイパネル（以下、「ＰＤＰ（Plasma Display Panel）」という。）に適用した場合の実施形態を示している。
【０００７】
まず、本実施形態におけるＰＤＰの構成ついて図１を用いて説明する。なお、図１は、本実施形態におけるＰＤＰの構成を示すブロック図である。
【０００８】
本実施形態におけるＰＤＰ１００は、図１に示すように、表示手段の一例としての表示部１１０と、当該表示部１１０を駆動する駆動部１２０とを備えている。
【０００９】
表示部１１０は、アンダースキャン表示を行う表示デバイスであり、アドレスドライバ１１１と、サステインドライバ１１２、１１３とを有している。
【００１０】
アドレスドライバ１１１は、表示部１１０に対して垂直方向に並置された列電極Ｄ１〜Ｄｍを有しており、駆動部１２０から入力された表示信号に対応するデータパルスを生成し、当該生成されたデータパルスを列電極Ｄ１〜Ｄｍに印加するようになっている。
【００１１】
サステインドライバ１１２は、表示部１１０に対して水平方向に並置された行電極Ｘ１〜Ｘｎを有しており、駆動部１２０から入力された駆動信号に対応するサステインパルスを生成し、当該生成されたサステインパルスを行電極Ｘ１〜Ｘｎに印加するようになっている。
【００１２】
また、サステインドライバ１１３は、表示部１１０に対して水平方向に並置された行電極Ｙ１〜Ｙｎを有しており、駆動部１２０から入力された駆動信号に対応するサステインパルスを生成し、当該生成されたサステインパルスを行電極Ｙ１〜Ｙｎに印加するようになっている。
【００１３】
行電極Ｘ１〜Ｘｎおよび行電極Ｙ１〜Ｙｎは、一の行電極Ｘと一の行電極Ｙとが平行に配置されて複数の水平ラインを構成しており、当該水平ラインと列電極Ｄとが交差する部位には、複数のセルＣＬが設けられている。各セルＣＬには、Ｎｅ−Ｘｅなどのガスを封入する放電空間が形成されており、当該放電空間には、ＭｇＯなどの保護層によって覆われた誘電体層が設けられている。
【００１４】
このように構成された表示部１１０は、各電極を介して印加されたパルスに基づいて各セルＣＬが放電発光することにより所定の画像を表示するようになっている。
【００１５】
駆動部１２０は、取得手段の一例としてのＡ／Ｄ（Analog/Digital）コンバータ１２１および差動／パラレル変換部１２６と、データ処理部１２２と、信号処理部１２３と、出力手段の一例としてのフレームメモリ１２４と、各部１２１〜１２４を制御する制御部１２５とを備えている。
【００１６】
Ａ／Ｄコンバータ１２１は、制御部１２５から入力された制御信号に基づいて、ＮＴＳＣ（National TV Standards Committee）方式、Ｈｉ−Ｖｉｓｉｏｎ方式などのアナログ画像データを外部から取得し、当該取得されたアナログ画像データを、例えば、８ｂｉｔにディジタル化することによってディジタル画像データを生成し、当該生成されたディジタル画像データをデータ処理部１２２に出力するようになっている。
【００１７】
差動／パラレル変換部１２６は、制御部１２５から入力された制御信号に基づいて、ＤＶＩ（Digital Video Interactive）フォーマット、ＨＤＭＩ（High Definition Multimedia Interface）フォーマットなどの差動信号を外部から取得し、当該取得された差動信号をパラレル変換することによって、例えば、２８ｂｉｔのディジタル画像データを生成し、当該生成されたディジタル画像データをデータ処理部１２２に出力するようになっている。
【００１８】
データ処理部１２２は、制御部１２５から入力された制御信号に基づいて、入力された画像データから表示部１１０に表示させる画像を示す表示データを生成し、当該生成された表示データを信号処理部１２３に出力するようになっている。当該データ処理部１２２の詳細については後述する。
【００１９】
信号処理部１２３は、制御部１２５から入力された制御信号に基づいて、入力された表示データに対して誤差拡散処理、ディザ処理などの多階調化処理を行って、例えば、４ｂｉｔに圧縮することにより表示信号を生成し、当該生成された表示信号をフレームメモリ１２４に出力するようになっている。
【００２０】
フレームメモリ１２４は、制御部１２５から入力された制御信号に基づいて、入力された表示信号を一時的に格納し、当該格納された表示信号をアドレスドライバ１１１に出力するようになっている。
【００２１】
制御部１２５は、サステインドライバ１１２、１１３を駆動するための駆動信号を生成し、当該生成された駆動信号をサステインドライバ１１２、１１３に出力するようになっている。
【００２２】
また、制御部１２５は、後述するように設定部１３２が表示態様を第２の態様に設定することを許可するための許可信号を生成し、当該生成された許可信号をデータ処理部１２２に出力するようになっている。
【００２３】
このように構成された駆動部１２０は、画像の階調表示を実現するために、各セルＣＬの放電回数を制御する、所謂、サブフィールド法を用いて表示部１１０を駆動するようになっている。当該サブフィールド法の詳細については後述する。
【００２４】
次に、上述したデータ処理部１２２の詳細について図２から図５を用いて説明する。なお、図２は、図１に示したＰＤＰのデータ処理部の構成を示すブロック図であり、図３は、本実施形態における画像データの一例を示す図であり、図４は、本実施形態における表示態様の一例を示す図であり、図５は、本実施形態における表示態様の一例を示す図である。
【００２５】
上述したデータ処理部１２２は、図２に示すように、判別手段の一例としての判別部１３１と、設定手段の一例としての設定部１３２と、生成手段の一例としての生成部１３３と、付加手段の一例としての付加部１３４と、拡縮部１３５とを有している。
【００２６】
なお、本実施形態において、画像データは、図３に示すように、画像データを提供する際に有効となる有効範囲１３６を有する画像１３７を示すものである。当該有効範囲１３６は、例えば、画像１３７の９３〜９５％程度の仮想領域であり、一般に、セーフティーエリア、安全フレームとも称されている。
【００２７】
判別部１３１は、入力された画像データのアスペクト比を判別し、当該判別結果を生成部１３３に出力するようになっている。
【００２８】
設定部１３２は、入力された許可信号に基づいて、有効範囲１３６を表示する第１の態様（図４（ａ）参照）と有効範囲１３６および有効範囲１３６の外部を表示する第２の態様（図４（ｂ）参照）との何れか一方に表示態様を設定し、当該設定結果を生成部１３３に出力するようになっている。
【００２９】
生成部１３３は、判別部１３１によって判別されたアスペクト比に応じて、設定部１３２によって設定された表示態様を示す表示データを生成するようになっている。
【００３０】
付加部１３４は、図５に示すように、生成部１３３によって生成された表示データに有効範囲１３６を示す補助データを付加するようになっている。
【００３１】
拡縮部１３５は、生成部１３３によって生成された表示データを、表示部１１０の表示サイズに応じて拡大縮小（リサイズ）し、当該リサイズされた表示データを信号処理部１２３に出力するようになっている。
【００３２】
次に、上述したサブフィールド法の詳細について図６および図７を用いて説明する。なお、図６は、本実施形態におけるＰＤＰの駆動原理を示す図であり、図７は、本実施形態におけるＰＤＰの駆動波形を示す図である。
【００３３】
サブフィールド法は、図６に示すように、セルＣＬの一表示期間としてのフィールドＦＬをｎ個のサブフィールドＳＦ１〜ＳＦｎに分割し、当該分割されたサブフィールドＳＦ１〜ＳＦｎにセルＣＬの放電回数を割り当てるようになっている。一般に、ＮＴＳＣ方式の画像データでは、１秒間が３０フレームからなるとともに１フレームが２フィールドからなるので、１秒間が６０フィールドに対応している。
【００３４】
各サブフィールドＳＦ１〜ＳＦｎには、セルＣＬを初期化するリセット期間、セルＣＬを点灯可能にする点灯状態とセルＣＬを点灯不能にする消灯状態とを選択的に設定するアドレス期間、および、点灯状態に設定されたセルＣＬを継続的に点灯させるサステイン期間が設けられている。
【００３５】
まず、リセット期間においては、図７中の上から２段目に示すように、リセットパルスＲＰｘが行電極Ｘ１〜Ｘｎに印加されるとともに、図７中の上から３段目に示すように、リセットパルスＲＰｙが行電極Ｙ１〜Ｙｎに印加されることによって、リセット放電が発生し、全てのセルＣＬに壁電荷が蓄積されるようになっている。
【００３６】
次に、アドレス期間においては、図７中の上から１段目に示すように、データパルスＤＰが列電極Ｄ１〜Ｄｍに印加されるとともに、図７中の上から３段目に示すように、スキャンパルスＳＰが行電極Ｙ１〜Ｙｎに印加されるようになっている。このときに、セルを点灯状態に設定する場合には、データパルスＤＰがセルＣＬに印加されないことによって消去放電が発生せず、セルＣＬに蓄積された壁電荷が残留するようになっている。一方、セルＣＬを消灯状態に設定する場合には、データパルスＤＰがセルＣＬに印加されることによって消去放電が発生し、セルＣＬに蓄積された壁電荷が消去されるようになっている。
【００３７】
次に、サステイン期間においては、図７中の上から２段目に示すように、サステインパルスＩＰｘが行電極Ｘ１〜Ｘｎに印加されるとともに、図７中の上から３段目に示すように、サステインパルスＩＰｙが行電極Ｙ１〜Ｙｎに印加される。このときに、点灯状態に設定されたセルＣＬでは、サステイン放電が発生し、セルＣＬが発光するようになっている。一方、消灯状態に設定されたセルＣＬでは、サステイン放電が発生せず、セルＣＬが発光しないようになっている。
【００３８】
このようにして、リセット期間、アドレス期間およびサステイン期間からなる一連の駆動工程をサブフィールドＳＦ１〜ＳＦｎ毎に繰り返して行うことによって、サステイン放電の回数に対応する階調表示が実現されるようになっている。
【００３９】
そして、フィールドＦＬの最後には、図６に示すように、消去期間が設けられており、当該消去期間においては、消去パルスが印加されることによって消去放電が発生し、セルＣＬに蓄積された壁電荷が消去されるようになっている。
【００４０】
以上説明したように、本実施形態では、ＰＤＰ１００は、画像データを提供する際に有効となる有効範囲を有する画像を処理するＰＤＰ１００において、画像データを取得するＡ／Ｄコンバータ１２１と、有効範囲１３６を表示する第１の態様と有効範囲１３６および有効範囲１３６の外部を表示する第２の態様との何れか一方に表示態様を設定する設定部１３２と、取得された画像データから設定された表示態様を示す表示データを生成する生成部１３３と、生成された表示データを出力するフレームメモリ１２４と、を備えることを特徴とする構成を有している。
【００４１】
この構成により、本実施形態では、有効範囲１３６を表示する第１の態様と有効範囲１３６および有効範囲１３６の外部を表示する第２の態様との何れか一方に表示態様を設定し、当該設定された表示態様を示す表示データを生成するので、アンダースキャン表示を行う表示デバイスに有効範囲の外部を表示させることができ、放送局、制作会社などの提供者が有効範囲の外部を視認する必要がある場合に、アンダースキャン表示を行う表示デバイスをモニタとして使用することができる。
【００４２】
また、本実施形態では、ＰＤＰ１００は、出力された表示データに基づいて画像を表示する表示部１１０を備えることを特徴とする構成を有している。
【００４３】
この構成により、本実施形態では、出力された表示データに基づいて画像を表示するので、有効範囲１３６の外部を視認することができる。
【００４４】
また、本実施形態では、設定部１３２は、所定の条件を具備した場合に表示態様を第２の態様に設定することを特徴とする構成を有している。
【００４５】
この構成により、本実施形態では、所定の条件を具備した場合、即ち、制御部１２５から出力された許可信号に基づいて表示態様を第２の態様に設定するので、誤操作によって第２の態様に設定されることを防止することができる。
【００４６】
また、本実施形態では、ＰＤＰ１００は、生成された表示データに有効範囲１３６を示す補助データを付加する付加部１３４手段を備えることを特徴とする構成を有している。
【００４７】
この構成により、本実施形態では、生成された表示データに有効範囲１３６を示す補助データを付加するので、有効範囲１３６を報知することができる。
【００４８】
また、本実施形態では、ＰＤＰ１００は、取得された画像データのアスペクト比を判別する判別部１３１を備え、生成部１３３は、判別されたアスペクト比に応じて表示データを生成することを特徴とする構成を有している。
【００４９】
この構成により、本実施形態では、判別されたアスペクト比に応じて表示データを生成するので、ＮＴＳＣ方式（アスペクト比４：３）、Ｈｉ−Ｖｉｓｉｏｎ方式（アスペクト比１６：９）などの画像データに対応することができる。
【００５０】
なお、本実施形態では、本願に係る画像処理装置を、例えば、プラズマディスプレイパネルに適用した場合の実施形態を示しているが、これに限らず、有機ＥＬ（Electro Luminescence）ディスプレイ、液晶ディスプレイなどの表示デバイスに適用することが可能である。
【００５１】
また、本実施形態では、制御部１２５から出力された許可信号に基づいて設定部１３２が表示態様を第２の態様に設定するように構成されているが、これに限らず、制御部１２５から出力された許可信号に基づいて生成部１３３が第２の態様を示す表示データを生成するように構成してもよく、また、制御部１２５から出力された許可信号に基づいてフレームメモリ１２４が第２の態様を示す表示データを出力するように構成してもよい。
【図面の簡単な説明】
【００５２】
【図１】本願の一実施形態におけるＰＤＰの構成を示すブロック図である。
【図２】図１に示したＰＤＰのデータ処理部の構成を示すブロック図である。
【図３】本願の一実施形態における画像データの一例を示す図である。
【図４】本願の一実施形態における表示態様の一例を示す図である。
【図５】本願の一実施形態における表示態様の一例を示す図である。
【図６】本願の一実施形態におけるＰＤＰの駆動原理を示す図である。
【図７】本願の一実施形態におけるＰＤＰの駆動波形を示す図である。
【符号の説明】
【００５３】
１００  ＰＤＰ
１１０  表示部
１１１  アドレスドライバ
１１２  サステインドライバ
１１３  サステインドライバ
１２０  駆動部
１２１  Ａ／Ｄコンバータ
１２２  データ処理部
１２３  信号処理部
１２４  フレームメモリ
１２５  制御部
１２６  差動／パラレル変換部
１３１  判別部
１３２  設定部
１３３  生成部
１３４  付加部
１３５  拡縮部
１３６  有効範囲
【図１】
2005189709.tif 000003
【図２】
2005189709.tif 000004
【図３】
2005189709.tif 000005
【図４】
2005189709.tif 000006
【図５】
2005189709.tif 000007
【図６】
2005189709.tif 000008
【図７】
2005189709.tif 000009